(57)【特許請求の範囲】
【請求項１】
通信手段により送受信される通信データを格納する通信データ領域をメモリ上に設定する通信領域設定部と、
前記通信手段に対し、前記通信データ領域の情報を通知する領域通知部と、
前記通信手段により送受信された通信データが格納された前記通信データ領域を、ログデータ領域に変更し、前記通信データをログデータとするログデータ領域設定部と、
を有することを特徴とする情報処理装置。
【請求項２】
前記通信手段は、ＤＭＡ転送による通信データの送受信を行い、
前記通信手段からのＤＭＡ転送の完了通知を受け付ける完了受付部を有することを特徴とする請求項１記載の情報処理装置。
【請求項３】
前記ログデータ領域に格納されるログデータを読み出して記憶手段に格納するログデータ読出部を有することを特徴とする請求項１又は２記載の情報処理装置。
【請求項４】
前記ログデータ領域設定部は、さらに、前記ログデータが読み出された後の前記ログデータ領域を、前記通信領域設定部が前記通信データ領域として設定する領域に変更することを特徴とする請求項１ないし３何れか一項に記載の情報処理装置。
【請求項５】
通信手段により送受信される通信データを格納する通信データ領域をメモリ上に設定する通信領域設定ステップと、
前記通信手段に対し、前記通信データ領域の情報を通知する領域通知ステップと、
前記通信手段により送受信された通信データが格納された前記通信データ領域を、ログデータ領域に変更し、前記通信データをログデータとするログデータ領域設定ステップと、
を有することを特徴とする情報処理方法。
【発明の詳細な説明】
【技術分野】
【０００１】
本発明は、情報処理装置、及び、情報処理方法に関する。
【背景技術】
【０００２】
従来から、ＵＳＢ（Ｕｎｉｖｅｒｓａｌ  Ｓｅｒｉａｌ  Ｂｕｓ）やＩＥＥＥ１３９４等による通信では、高速で大量にデータの送受信が行われる。これらの通信では、バスデータを制御する通信制御機器とＣＰＵとの間は、ＤＭＡ（Ｄｉｒｅｃｔ  Ｍｅｍｏｒｙ  Ａｃｅｓｓ）制御が行われる。ＤＭＡ制御では、ＣＰＵを介さずにバスの先にあるデバイスが、直接メモリにアクセスし、データの読み出しと書き込みとが行われる。
【０００３】
ＤＭＡ転送により送受信されるデータは、大量である。そこで例えば、特許第４１３６３９７号公報（特許文献１）には、ＵＳＢによるデータの受信を行う画像形成装置の発明が開示されている。特許文献１に開示の画像形成装置の発明は、オペレーションシステムに含まれるカーネルと、アプリケーションとで、同一のメモリ空間を割り当てて、ＵＳＢによるデータの受信を行うことにより、処理を高速に行う。
【０００４】
ところで、データが送受信される際には、データのログが記録されることがある。またデータの送受信に関わらず、データが処理される際にも、データのログが記録されることがある。ログを記録する際には、ログ用のデータ領域に記録し、又は、外部記憶装置にログをコピーする。
【０００５】
大量のデータのログを記録すると、本来の機能のパフォーマンスを低下させることがある。そこで、例えば、特開２００８−７２３４５号公報（特許文献２）には、印刷出力装置の動作状態に応じて取得されメモリに格納されるログファイルを、印刷出力装置のステータス等に応じて、ハードディスク装置に格納するログファイル処理方法の発明が開示されている。
【発明の概要】
【発明が解決しようとする課題】
【０００６】
しかしながら、上記特許文献１及び特許文献２に開示の発明では、高速で大量にデータの送受信が行われるＵＳＢ等による通信のログを、装置が実現する機能のパフォーマンスを低下することなく記録することについては、考慮されていない。このような通信のログを記録するために、送受信されるデータを逐次記録することは、効率が悪く、装置が実現する通信機能のパフォーマンスを低下させることがある。
【０００７】
本発明は、上記の点に鑑みて、これらの問題を解消するために発明されたものであり、通信のパフォーマンスを低下させることなく、ログの記録を行う情報処理装置、及び、情報処理方法を提供することを目的としている。
【課題を解決するための手段】
【０００８】
上記目的を達成するために、本発明の情報処理装置は次の如き構成を採用した。本発明の情報処理装置は、通信手段により送受信される通信データを格納する通信データ領域をメモリ上に設定する通信領域設定部と、前記通信手段に対し、前記通信データ領域の情報を通知する領域通知部と、前記通信手段により送受信された通信データが格納された前記通信データ領域を、ログデータ領域に変更し、前記通信データをログデータとするログデータ領域設定部と、を有する構成とすることができる。
【０００９】
これにより、通信のパフォーマンスを低下させることなく、ログの記録を行う情報処理装置を提供することができる。
【００１０】
なお、上記課題を解決するため、本発明は、上記情報処理装置における情報処理方法としてもよい。
【発明の効果】
【００１１】
本発明の情報処理装置及び情報処理方法によれば、通信のパフォーマンスを低下させることなく、ログの記録を行う情報処理装置、及び、情報処理方法を提供することが可能になる。
【図面の簡単な説明】
【００１２】
【図１】図１は、本実施の形態に係る情報処理装置１０の機能構成の例を示す図である。
【図２】図２は、本実施の形態に係る情報処理装置１０のハードウェア構成の例を示す図である。
【図３】図３は、図２のハードウェア構成において、通信データの送受信が行われる際のデータの流れを示す図である。
【図４】図４は、ＤＭＡ転送に用いられるメモリ空間を示す図である。
【図５】図５は、通信データ領域とログデータ領域との割り当てを説明する図である。
【図６】図６は、本実施の形態に係る情報処理装置１０ａの機能構成の例を示す図である。
【図７】図７は、本実施の形態において、通信データの送受信が行われる際のデータの流れを示す図である。
【図８】図８は、メモリ１６０上に設定されるデータ領域を説明する図（その１）である。
【図９】図９は、メモリ１６０上に設定されるデータ領域を説明する図（その２）である。
【図１０】図１０は、ＤＭＡ転送により、外部通信機器１２０が通信データを送信する際の処理を説明するフロー図である。
【図１１】図１１は、ログ領域を管理する管理データを説明する図である。
【図１２】図１２は、ＤＭＡ転送により、外部通信機器１２０が通信データを受信する際の処理を説明するフロー図である。
【図１３】図１３は、外部通信機器１２０からのデータの送信、及び、データの受信の何れであるかを判断した後、ＤＭＡ転送を行う処理を説明するフロー図である。
【図１４】図１４は、ＣＰＵ１１０と外部通信機器１２０との処理を説明するフロー図である。
【図１５】図１５は、ログ記憶装置１４０がＤＭＡ転送を行う際の処理を説明するフロー図である。
【図１６】図１６は、ログ記憶装置１４０へのＤＭＡ転送を行う場合の、ＣＰＵ１１０及び外部通信機器１２０の処理を説明するフロー図（その１）である。
【図１７】図１７は、ログ記憶装置１４０へのＤＭＡ転送を行う場合の、ＣＰＵ１１０及び外部通信機器１２０の処理を説明するフロー図（その２）である。
【図１８】図１８は、メモリ管理ユニットを有する場合に、設定されるＤＭＡ用メモリ領域を説明する図（その１）である。
【図１９】図１９は、メモリ管理ユニットを有する場合に、設定されるＤＭＡ用メモリ領域を説明する図（その２）である。
【発明を実施するための形態】
【００１３】
以下、本実施の形態を図面に基づき説明する。
【００１４】
〔本実施の形態〕
図１は、本実施の形態に係る情報処理装置１０の機能構成の例を示す図である。図１の情報処理装置１０は、制御部１、通信部２、及び、メモリ６を有する。制御部１、通信部２、及び、メモリ６は、バスを介して接続される。
【００１５】
制御部１は、情報処理装置１０の各部の制御を行う。制御部１は、通信部２が、ＤＭＡ転送を行う場合には、メモリ６上に領域を確保して、その領域の情報を通信部２に通知する。制御部１は、通信領域設定部１１、領域通知部１２、ログデータ領域設定部１３、完了受付部１４、及び、ログデータ読出部１５を有する。
【００１６】
通信領域設定部１１は、通信部２がＤＭＡ転送を行う場合に使用する通信データ領域を、メモリ６上に設定する。領域通知部１２は、通信領域設定部１１が設定した通信データ領域を、通信部２に通知する。
【００１７】
ログデータ領域設定部１３は、通信部２がＤＭＡ転送を行って受信した通信データが格納されている、メモリ６上の通信データ領域を、ログデータ領域に設定する。これにより、通信データを、ログデータとして管理することができるようになる。
【００１８】
完了受付部１４は、通信部２がＤＭＡ転送を終了する際の完了通知を受け付ける。これにより、ＣＰＵ１が、バスを管理することができるようになる。ログデータ読出部１５は、ログデータ領域に格納されているデータを読み出す。読み出されたデータは、図示しないハードディスク装置等に格納される。
【００１９】
なお、制御部１が有する各部は、例えば、ＣＰＵがコンピュータプログラムを実行することにより実現される。
【００２０】
通信部２は、ネットワーク８を介して接続される外部の装置との通信を行う。通信部２は、ＤＭＡ転送を行う。通信部２は、通信データ制御部２１、完了通知部２２、及び、通信装置２９を有する。通信データ制御部２１、及び、完了通知部２２は、ＤＭＡコントローラに含まれる。
【００２１】
通信データ制御部２１は、制御部１から、メモリ６上の通信データ領域の情報を受信した後、ＤＭＡ転送により、通信データ領域に格納されている通信データを外部の装置に送信し、又は、外部の装置から受信する通信データを通信データ領域に格納する。
【００２２】
完了通知部２２は、ＤＭＡ転送が終了した際に、完了通知を制御部１に出力する。
【００２３】
メモリ６は、通信部２が送受信する通信データ、及び、通信部２が通信した通信データのログデータを保持する。メモリ６は、また、制御部１が有する各部が処理を実行する際の、ワークメモリでもよい。
【００２４】
図２は、本実施の形態に係る情報処理装置１００のハードウェア構成の例を示す図である。図２のハードウェア構成では、情報処理装置１００は、ＣＰＵ１１０、ノースブリッジ（以下、「ＮＢ」という。）１３１、サウスブリッジ（以下、「ＳＢ」という。）１３２、メモリ１６０、外部通信機器１２０、及び、ログ記憶装置１４０を有する。
【００２５】
ＣＰＵ１１０は、コンピュータプログラムを実行することにより、情報処理装置１００の各部を制御する。ＮＢ１３１、及び、ＳＢ１３２は、バス上に設けられ各部を接続するブリッジである。
【００２６】
メモリ１６０は、ＣＰＵ１１０がコンピュータプログラムを実行する際のワークメモリである。メモリ１６０は、また、外部通信機器１２０がＤＭＡ転送を行う際に、ＣＰＵ１１０により、通信データ領域が設定される。
【００２７】
外部通信機器１２０は、情報処理装置１００と、外部通信バスに接続される装置と、の間のＤＭＡ転送を行う。外部通信機器１２０は、メモリ１６０上の通信データ領域に格納されているデータを外部通信バスに出力する。外部通信機器１２０は、また、メモリ１６０上の通信データ領域に、外部通信バスからのデータを格納させる。外部通信機器１２０は、ＣＰＵ１１０から、メモリ１６０上の通信データ領域の情報を取得し、ＤＭＡ転送を行った後、完了通知をＣＰＵ１１０に出力する。
【００２８】
外部通信機器１２０は、ＤＭＡコントローラ（以下、「ＤＭＡＣ」という。）１２１を有する。ＤＭＡＣ１２１は、ＤＭＡ転送を行う際の、内部バスの制御を行う。
【００２９】
ログ記憶装置１４０は、外部通信機器１２０が行った通信の、ログデータが記録される。ログ記憶装置１４０は、ＤＭＡＣ１４１を有する。ＤＭＡＣ１４１は、メモリ１６０に格納されているログデータを、ログ記憶装置１４０にＤＭＡ転送する際の、バスの制御等を行う。
【００３０】
図３は、図２のハードウェア構成において、通信データの送受信が行われる際のデータの流れを示す図である。図３のステップＳ１では、ＣＰＵ１１０が、メモリ１６０に通信データ領域を設定する。通信データ領域は、受信する通信データを格納する領域、又は、送信する通信データが格納されている領域である。
【００３１】
ステップＳ１に続いてステップＳ２に進み、ＣＰＵ１１０から、外部通信機器１２０に対し、ＤＭＡＣ１２１を起動する指示が出力される。この指示は、ＤＭＡ転送を行う通信データのサイズ、及び、メモリ１６０上の通信データ領域のアドレスの情報等が含まれる。
【００３２】
ステップＳ２に続いてステップＳ３に進み、外部通信機器１２０が、メモリ１６０にアクセスし、通信データの送受信を準備する。ステップＳ３に続いてステップＳ４に進み、外部通信機器１２０が、メモリ１６０上の通信データ領域を使用して、ＤＭＡ転送を行う。
【００３３】
ステップＳ４に続いてステップＳ５に進み、ＤＭＡＣ１２１からＣＰＵ１１０に対し、ＤＭＡ転送が完了した旨の完了通知が出力される。この通知には、ＣＰＵ１１０の割り込み機能を用いるとよい。
【００３４】
図４及び図５は、メモリ領域を説明する図である。図４は、ＤＭＡ転送に用いられるメモリ空間を示す図である。図４では、メモリ１６０上の領域のうち、斜線のハッチングが付された一部の領域が、ＤＭＡ用のメモリ空間として割り当てられている。なお、通信データ領域を「ＤＭＡ用のメモリ空間」ともいい、ログデータ領域を「ログ領域」ともいう。
【００３５】
図５は、通信データ領域と、ログデータ領域と、の割り当てを説明する図である。図５（Ａ）では、メモリ１６０上に、ＤＭＡ用のメモリ空間ｍ１が割り当てられる。メモリ空間ｍ１を用いて、ＤＭＡ転送が行われる。図５（Ｂ）では、メモリ空間ｍ１が、ログ領域ｍ２に変更される。ログ領域ｍ２は、メモリ空間ｍ１を用いたＤＭＡ転送のログデータが格納されている領域となる。
【００３６】
図５（Ｃ）では、ログ領域ｍ２に近接する別の領域が、ＤＭＡ用メモリ空間ｍ３として割り当てられる。メモリ空間ｍ３は、メモリ空間ｍ１とは異なるＤＭＡ転送に用いられる。図５（Ｄ）では、メモリ空間ｍ３が、ログ領域ｍ４に変更される。ログ領域ｍ４は、メモリ空間ｍ３を用いたＤＭＡ転送のログデータが格納されている領域となる。
【００３７】
図５（Ｅ）では、ログ領域ｍ２が開放される。これにより、次以降のＤＭＡ転送の際に、ＤＭＡ用のメモリ空間として割り当てられることができる。
【００３８】
図６は、本実施の形態に係る情報処理装置１０ａの機能構成の例を示す図である。情報処理装置１０ａは、図１の情報処理装置１０に加えて、ログデータを記録する記憶部４が設けられている。図６の情報処理装置１０ａは、制御部１ａ、通信部２、記憶部４、及び、メモリ６を有する。制御部１ａ、通信部２、記憶部４、及び、メモリ６は、バスを介して接続される。
【００３９】
制御部１は、情報処理装置１０の各部の制御を行う。制御部１は、通信部２が、ＤＭＡ転送を行う場合には、メモリ６上に領域を確保して、その領域の情報を通信部２に通知する。制御部１は、通信領域設定部１１、領域通知部１２、ログデータ領域設定部１３、完了受付部１４、及び、ログデータ読出部１５を有する。
【００４０】
制御部１ａは、通信領域設定部１１、領域通知部１２、ログデータ領域設定部１３、及び、完了受付部１４を有する。制御部１ａが有する各部は、情報処理装置１０の制御部１が有する同名の各部と同一の機能、及び、構成を有する。制御部１ａの構成は、制御部１の構成に対して、ログデータ読出部１５を含まない点が異なるのみであるので、ここでは説明を省略する。
【００４１】
通信部２は、情報処理装置１０の通信部２と同一の機能及び構成であるので、ここでは説明を省略する。
【００４２】
記憶部４は、ログデータ出力制御部４１、完了通知部４２、及び、記憶装置４９を有する。ログデータ出力制御部４１、及び、完了通知部４２は、ＤＭＡＣに含まれる。
【００４３】
ログデータ出力制御部４１は、制御部１ａがメモリ６上に設定したログデータ領域に格納されているログデータを読み出して、記憶装置４９に格納させる。完了通知部４２は、ログデータ出力制御部４１が、ログデータを記憶装置４９に格納させる処理が完了した旨の完了通知を、制御部１ａに出力する。
【００４４】
記憶装置４９は、データを格納する記憶手段である。記憶装置４９は、例えば、ハードディスク装置である。
【００４５】
図７は、本実施の形態において、通信データの送受信が行われる際のデータの流れを示す図である。図７は、図２のハードウェア構成におけるデータの流れを示す。
【００４６】
図７のステップＳ１ないしステップＳ５は、図３のステップＳ１ないしステップＳ５と同一である。図７のステップＳ５に続いてステップＳ６に進み、ＣＰＵ１１０が、ステップＳ５で、ＤＭＡ転送が完了した完了通知を受けた後、ＤＭＡＣ１４１に対し、メモリ１６０上のログデータ領域の情報を通知する。
【００４７】
ステップＳ６で通知されるログデータ領域は、ステップＳ４でＤＭＡ転送が行われた際の、通信データ領域と同一である。この通知に基づいて、ＤＭＡＣ１４１が、メモリ１６０からログ記憶装置１４０に対する、ログデータのＤＭＡ転送を行う。
【００４８】
ステップＳ６に続いてステップＳ７に進み、メモリ１６０からログ記憶装置１４０に対するログデータのＤＭＡ転送が終了した後、完了通知がＤＭＡＣ１４１からＣＰＵ１１０に対して出力される。
【００４９】
図８及び図９は、図７のデータの流れに伴って、メモリ１６０上に設定されるデータ領域を説明する図である。図８（Ａ）では、ＤＭＡ用のメモリ空間ｍ１１が設定されている。メモリ空間ｍ１１は、例えば、図７のステップＳ４のＤＭＡ転送に用いられた通信データ領域である。
【００５０】
図８（Ｂ）では、ＤＭＡ用メモリ空間ｍ１１を、ログ領域ｍ１２に設定する。ログ領域ｍ１２は、メモリ１６０からログ記憶装置１４０に対して転送されるログデータが格納されている領域である。図８（Ｃ）では、ログデータの転送が終了した後、ログ領域ｍ１２が開放される。これにより、ログ領域ｍ１２として設定されていた領域は、新たな、ＤＭＡ用のメモリ空間として設定することが可能になる。
【００５１】
図９は、ログデータをログ記憶装置１４０に転送している際に、外部通信機器１２０によるＤＭＡ転送が発生する場合の、メモリ１６０上に設定される領域の例を示す図である。
【００５２】
図９（Ａ）では、ＤＭＡ用のメモリ空間ｍ２１が設定されている。メモリ空間ｍ２１は、例えば、図７のステップＳ４のＤＭＡ転送に用いられた通信データ領域である。図９（Ｂ）では、ＤＭＡ用メモリ空間ｍ２１を、ログ領域ｍ２２に設定する。ログ領域ｍ２２は、メモリ１６０からログ記憶装置１４０に対して転送されるログデータが格納されている領域である。
【００５３】
図９（Ｂ）で設定されたログ領域ｍ２２に格納されているログデータは、ログ記憶装置１４０に対してＤＭＡ転送される。図９（Ｃ）では、外部通信機器１２０による通信データの送受信が行われ、新たなＤＭＡ用メモリ空間ｍ２３が設定される。図９（Ｄ）では、外部通信機器１２０による通信データの送受信が終了し、ＤＭＡ用メモリ空間ｍ２３は、ログ領域ｍ２４として設定される。
【００５４】
図９（Ｅ）では、ログ領域ｍ２２に格納されているログデータの、ログ記憶装置１４０に対するＤＭＡ転送が終了する。これにより、ログ領域ｍ２２が開放される。図９（Ｆ）では、ログ領域ｍ２４に格納されているログデータの、ログ記憶装置１４０に対するＤＭＡ転送が終了する。これにより、ログ領域ｍ２４が開放される。
【００５５】
ログ領域ｍ２２及びログ領域ｍ２４が開放された後は、これらの領域は、新たな通信データ領域等として設定され、ＤＭＡ転送等に供せられる。
【００５６】
図１０は、ＤＭＡ転送により、外部通信機器１２０が通信データを送信する際の処理を説明するフロー図である。図１０のステップＳ１１では、ＣＰＵ１１０が、メモリ１６０にＤＭＡ用メモリ領域を設定する。なお、メモリ領域を設定することを、「メモリ領域を確保する。」ともいう。
【００５７】
ステップＳ１１に続いてステップＳ１２に進み、ＣＰＵ１１０が、ステップＳ１１で設定したＤＭＡ用メモリ領域に、書き込みデータを格納させる。ステップＳ１２に続いてステップＳ１３に進み、ＣＰＵ１１０が、ステップＳ１２で書き込みデータが格納されたメモリ領域の情報を、ＤＭＡＣ１２１に通知する。これにより、ＤＭＡＣ１２１が、ＤＭＡを起動し、ＤＭＡ転送を開始する。
【００５８】
ステップＳ１３に続いてステップＳ１４に進み、ＣＰＵ１１０は、ＤＭＡＣ１２１がＤＭＡ転送を行っている間、ＤＭＡ転送の完了を待つ。ＤＭＡ転送が完了すると、ＤＭＡＣ１２１からＣＰＵ１１０に対し、完了通知が出力される。
【００５９】
ステップＳ１４に続いてステップＳ１５に進み、ＣＰＵ１１０が、メモリ１６０上のステップＳ１１で設定されたメモリ領域を、ログ領域に変更する。これにより、ステップＳ１３及びステップＳ１４でＤＭＡ転送により送信された通信データのログが、メモリ１６０上に存在することになる。
【００６０】
図１１は、ログ領域を管理する管理データを説明する図である。管理データは、メモリ１６０上の所定の領域に設けられるとよい。管理データは、ログ領域のメモリ１６０上のアドレス、又は、ポインタ等の位置情報、及び、ログ領域のサイズの情報を含む。メモリ１６０上にログ領域が複数ある場合には、管理データは、それぞれのログ領域のアドレス等の情報とサイズの情報とを含む。
【００６１】
図１２は、ＤＭＡ転送により、外部通信機器１２０が通信データを受信する際の処理を説明するフロー図である。図１２のステップＳ２１では、ＣＰＵ１１０が、メモリ１６０にＤＭＡ用メモリ領域を設定する。なお、メモリ領域を設定することを、「メモリ領域を確保する。」ともいう。
【００６２】
ステップＳ２１に続いてステップＳ２２に進み、ＣＰＵ１１０が、ステップＳ２１で確保されたメモリ領域の情報を、ＤＭＡＣ１２１に通知する。これにより、ＤＭＡＣ１２１が、ＤＭＡを起動し、ＤＭＡ転送を開始する。
【００６３】
ステップＳ２２に続いてステップＳ２３に進み、ＣＰＵ１１０は、ＤＭＡＣ１２１がＤＭＡ転送を行っている間、ＤＭＡ転送の完了を待つ。ＤＭＡ転送が完了すると、ＤＭＡＣ１２１からＣＰＵ１１０に対し、完了通知が出力される。
【００６４】
ステップＳ２３に続いてステップＳ２４に進み、ＣＰＵ１１０が、ステップＳ２２及びステップＳ２３で受信した通信データに対する処理を実行する。ステップＳ２４に続いてステップＳ２５に進み、メモリ１６０上のステップＳ２１で設定されたメモリ領域を、ログ領域に変更する。これにより、ステップＳ２２及びステップＳ２３でＤＭＡ転送により送信された通信データのログが、メモリ１６０上に存在することになる。
【００６５】
図１３は、外部通信機器１２０からのデータの送信、及び、データの受信の何れであるかを判断した後、ＤＭＡ転送を行う処理を説明するフロー図である。図１３のステップＳ３１では、ＣＰＵ１１０が、ＤＭＡ用のメモリ領域を、メモリ１６０上に確保する。
【００６６】
ステップＳ３１に続いてステップＳ３２に進み、ＣＰＵ１１０が、外部機器へのデータ送信か否かを判断する。外部機器へのデータ送信の場合は、ステップＳ３３に進み、そうではない場合は、ステップＳ３６に進む。
【００６７】
ステップＳ３２に続くステップＳ３３ないしステップＳ３５では、図１０のステップＳ１２ないしステップＳ１４と同一の処理を実行して、ＤＭＡ転送による通信データの送信を行う。一方、ステップ３２に続くステップＳ３６ないしステップＳ３８では、図１２のステップＳ２２ないしステップＳ２４と同一の処理を実行して、ＤＭＡ転送による通信データの受信を行う。
【００６８】
ステップＳ３５又はステップＳ２８に続いてステップＳ３９に進み、メモリ１６０上のステップＳ３１で設定されたメモリ領域を、ログ領域に変更する。これにより、ＤＭＡ転送により送信又は受信された通信データのログが、メモリ１６０上に存在することになる。
【００６９】
図１４及び図１５は、図７のデータの流れの処理を説明するフロー図である。図１４は、ＣＰＵ１１０と外部通信機器１２０との処理を説明するフロー図である。図１４の
ステップＳ４１ないしステップＳ４４の処理は、図１０のステップＳ１１ないしステップＳ１４の処理と同一である。ステップＳ４４に続いてステップＳ４５に進み、ＣＰＵ１１０が、ＤＭＡ用メモリ領域をログ領域に変更し、そのログ領域の情報をログ記憶装置１４０に通知する。
【００７０】
図１５は、ログ記憶装置１４０がＤＭＡ転送を行う際の処理を説明するフロー図である。図１５のステップＳ５１では、ログ記憶装置１４０が、ＣＰＵ１１０からの通知を待つ。なお、通知を出力するのは、ＣＰＵ１１０に限らず、情報処理装置１０が実行するＤＭＡ転送の開始通知の出力、及び、完了通知の受信を行うブロックであればよい。この通知には、ログ領域の情報が含まれる。
【００７１】
ステップＳ５１に続いてステップＳ５２に進み、ログ記憶装置１４０は、メモリ１６０上のログ領域のログデータをＤＭＡ転送する。ステップＳ５２に続いてステップＳ５３に進み、ＣＰＵ１１０は、ステップＳ５２のＤＭＡ転送の完了を待つ。ＤＭＡ転送が完了すると、ＣＰＵ１１０は、ログ記憶装置１４０から、完了通知を受信する。
【００７２】
ステップＳ５３に続いてステップＳ５４に進み、ＣＰＵ１１０が、ＤＭＡ転送されたデータが格納されていたログ領域を開放する。これにより、使用されたログ領域を、新たなＤＭＡ転送の領域として使用することができる。
【００７３】
図１６及び図１７は、ログ記憶装置１４０へのＤＭＡ転送を行う場合の、ＣＰＵ１１０及び外部通信機器１２０の処理を説明するフロー図である。図１６のステップＳ６１ないしステップＳ６４の処理は、図１２のステップＳ２１ないしステップＳ２４の処理と同一である。
【００７４】
ステップＳ６４に続いてステップＳ６５に進み、ＣＰＵ１１０が、ＤＭＡ用メモリ領域をログ領域に変更し、そのログ領域の情報をログ記憶装置１４０に通知する。
【００７５】
図１７のステップＳ７１ないしステップＳ７８の処理は、図１３のステップＳ３１ないしステップＳ３８の処理と同一である。ステップＳ７５又はステップＳ７８に続いてステップＳ７９に進み、ＣＰＵ１１０が、ＤＭＡ用メモリ領域をログ領域に変更し、そのログ領域の情報をログ記憶装置１４０に通知する。
【００７６】
図１６又は図１７の処理の後、ログ記憶装置１４０が、図１５の処理を実行することにより、ログデータが、ログ記憶装置１４０にＤＭＡ転送され格納される。
【００７７】
図１８及び図１９は、ＣＰＵ１１０が、メモリ管理ユニット（以下、「ＭＭＵ」という。）を有する場合に、設定されるＤＭＡ用メモリ領域を説明する図である。図１８及び図１９では、仮想アドレス空間に、ＤＭＡ用メモリ領域Ａ１ないしＡ４の４つの領域が設定されている。ＤＭＡ転送による通信が行われる毎に、４つのＤＭＡ用メモリ領域が、順に供せられる。
【００７８】
図１８では、仮想アドレス空間の４つのＤＭＡ用メモリ領域に対応する物理アドレス空間の４つのメモリ領域Ｐ１ないしＰ４が、連続して設けられている。図１９では、図１８の４つのＤＭＡ用メモリ領域のうち、１つのＤＭＡ用メモリ領域が、ＤＭＡ転送が完了した後に、ログ領域として設定される。図１９では、さらに、新たな領域がＤＭＡ用メモリ領域として設定される。
【００７９】
図１８及び図１９に示すアドレス空間の制御により、仮想アドレス空間には、常に４つのＤＭＡ用メモリ領域が設けられ、対応するＤＭＡ用メモリ領域を物理アドレス空間に設定することにより、ＤＭＡ用メモリ領域とログ領域とを、容易に設定することができる。
【００８０】
（コンピュータ等による実現）
なお、本発明の実施の形態に係る情報処理装置は、例えばパーソナルコンピュータ（ＰＣ）等で実現されてもよい。また、本発明の実施形態に係る情報処理方法は、例えば、ＣＰＵがＲＯＭやハードディスク装置等に記憶されたプログラムに従い、ＲＡＭ等のメインメモリをワークエリアとして使用し、実行される。
【００８１】
以上、発明を実施するための最良の形態について説明を行ったが、本発明は、この最良の形態で述べた実施の形態に限定されるものではない。本発明の主旨をそこなわない範囲で変更することが可能である。
【産業上の利用可能性】
【００８２】
以上のように、本発明にかかる情報処理装置は、ＤＭＡ転送されるデータのログ記録に有用であり、特に、画像処理装置に適している。
【符号の説明】
【００８３】
１、１ａ      制御部
２     通信部
４     記憶部
６     メモリ
８     ネットワーク
１０、１０ａ、１００ 情報処理装置
１１   通信領域設定部
１２   領域通知部
１３   ログデータ領域設定部
１４   完了受付部
１５   ログデータ読出部
２１   通信データ制御部
２２   完了通知部
２９   通信装置
４１   ログデータ出力制御部
４２   完了通知部
４９   記憶装置
１２０ 外部通信機器
１４０ ログ記憶装置
１６０ メモリ
【先行技術文献】
【特許文献】
【００８４】
【特許文献１】特許第４１３６３９７号公報
【特許文献２】特開２００８−７２３４５号公報
【図１】
0005482302.tif 000002
【図２】
0005482302.tif 000003
【図３】
0005482302.tif 000004
【図４】
0005482302.tif 000005
【図５】
0005482302.tif 000006
【図６】
0005482302.tif 000007
【図７】
0005482302.tif 000008
【図８】
0005482302.tif 000009
【図９】
0005482302.tif 000010
【図１０】
0005482302.tif 000011
【図１１】
0005482302.tif 000012
【図１２】
0005482302.tif 000013
【図１３】
0005482302.tif 000014
【図１４】
0005482302.tif 000015
【図１５】
0005482302.tif 000016
【図１６】
0005482302.tif 000017
【図１７】
0005482302.tif 000018
【図１８】
0005482302.tif 000019
【図１９】
0005482302.tif 000020